(57)【要約】【課題】媒体がロール状に巻き取られた媒体ロールを用いる印刷装置において、印刷速度を適切に高める。【解決手段】繰り出しローラ１０２と、媒体３０を吸着により固定するテーブル１１０と、印刷部１１２と、少なくとも繰り出しローラ１０２からテーブル１１０に至る搬送経路に渡って媒体を搭載する媒体搭載部１１６と、媒体３０の搬送方向へ媒体搭載部１１６を移動させることにより、繰り出しローラ１０２と共に、テーブル１１０を移動させて、印刷部１１２に対して媒体３０を移動させ、かつ、搬送方向へ予め設定された距離だけ媒体搭載部１１６を移動させた場合、媒体搭載部１１６を戻す搭載部駆動部１１８と、搭載部駆動部１１８が媒体搭載部１１６を戻す場合に、繰り出しローラ１０２に対して相対的に、テーブル１１０を搬送方向へ移動させるテーブル駆動部１１４とを備える。【選択図】図１
2008012812.tif 000002
【特許請求の範囲】
【請求項１】
媒体がロール状に巻き取られた媒体ロールを用いる印刷装置であって、
前記媒体を引き出す力に応じて前記媒体ロールから前記媒体が順次繰り出されるように、前記媒体ロールを回転可能に保持する繰り出しローラと、
前記繰り出しローラから繰り出された前記媒体を吸着により固定するテーブルと、
前記媒体を挟んで前記テーブルの一部と対向しており、前記テーブルとの間にある前記媒体に対して印刷を行う印刷部と、
前記繰り出しローラ及び前記テーブルを保持することにより、少なくとも前記繰り出しローラから前記テーブルに至る搬送経路に渡って前記媒体を搭載する媒体搭載部と、
前記媒体の搬送方向へ前記媒体搭載部を移動させることにより、前記繰り出しローラと共に、前記媒体を吸着している前記テーブルを移動させて、前記印刷部に対して前記媒体を移動させ、かつ、前記搬送方向へ予め設定された距離だけ前記媒体搭載部を移動させた場合、前記搬送方向と反対の方向へ前記媒体搭載部を戻す搭載部駆動部と、
前記搭載部駆動部が前記搬送方向と反対の方向へ前記媒体搭載部を戻す場合に、前記繰り出しローラに対して相対的に、前記媒体を吸着している前記テーブルを前記搬送方向へ移動させるテーブル駆動部と
を備えることを特徴とする印刷装置。
【請求項２】
前記印刷部は、前記媒体において前記印刷部の印字面と対向している印字領域に対して印刷を行い、
前記搬送方向へ前記媒体搭載部を移動させる場合、前記印刷部が前記印字領域への印刷を行う毎に、前記搭載部駆動部は、前記搬送方向における前記印字領域の幅だけ前記媒体搭載部を移動させ、
前記媒体搭載部を前記搬送方向へ予め設定された移動回数移動させた場合、前記搭載部駆動部は、前記印字領域の幅に前記移動回数を乗じた距離、前記搬送方向と反対の方向へ前記媒体搭載部を戻すことを特徴とする請求項１に記載の印刷装置。
【請求項３】
前記搭載部移動部が前記搬送方向と反対の方向へ前記媒体搭載部を戻す場合、前記テーブル駆動部は、前記印刷部に対する前記テーブルの相対位置を固定しつつ、前記繰り出しローラに対して相対的に前記テーブルを移動させることを特徴とする請求項１又は２に記載の印刷装置。
【請求項４】
前記印刷部は、前記媒体において前記印刷部の印字面と対向している印字領域に対して印刷を行い、
前記搭載部駆動部が前記媒体搭載部を前記搬送方向と反対の方向へ戻す場合、前記テーブル駆動部は、前記媒体搭載部が戻される距離よりも前記印字領域の幅だけ大きく、前記繰り出しローラに対して相対的に、前記テーブルを前記搬送方向へ移動させることを特徴とする請求項１から３のいずれかに記載の印刷装置。
【請求項５】
媒体がロール状に巻き取られた媒体ロールを用いる印刷装置において前記媒体を搬送する搬送装置であって、
前記媒体を引き出す力に応じて前記媒体ロールから前記媒体が順次繰り出されるように、前記媒体ロールを回転可能に保持する繰り出しローラと、
前記繰り出しローラから繰り出された前記媒体を吸着により固定するテーブルと、
前記繰り出しローラ及び前記テーブルを保持することにより、少なくとも前記繰り出しローラから前記テーブルに至る搬送経路に渡って前記媒体を搭載する媒体搭載部と、
前記媒体の搬送方向へ前記媒体搭載部を移動させることにより、前記繰り出しローラと共に、前記媒体を吸着している前記テーブルを移動させて、前記媒体に対して印刷を行う印刷部に対して前記媒体を移動させ、かつ、前記搬送方向へ予め設定された距離だけ前記媒体搭載部を移動させた場合、前記搬送方向と反対の方向へ前記媒体搭載部を戻す搭載部駆動部と、
前記搭載部駆動部が前記搬送方向と反対の方向へ前記媒体搭載部を戻す場合に、前記繰り出しローラに対して相対的に、前記媒体を吸着している前記テーブルを前記搬送方向へ移動させるテーブル駆動部と
を備えることを特徴とする搬送装置。
【請求項６】
媒体がロール状に巻き取られた媒体ロールを用いる印刷方法であって、
前記媒体を引き出す力に応じて前記媒体ロールから前記媒体が順次繰り出されるように、前記媒体ロールを回転可能に保持する繰り出しローラ、及び前記繰り出しローラから繰り出された前記媒体を吸着により固定するテーブルを保持する媒体搭載部に、少なくとも前記繰り出しローラから前記テーブルに至る搬送経路に渡って前記媒体を搭載し、
前記繰り出しローラから繰り出された前記媒体を、前記テーブルへの吸着により固定し、
前記媒体の搬送方向へ前記媒体搭載部を移動させることにより、前記繰り出しローラと共に、前記媒体を吸着している前記テーブルを移動させて、前記媒体を挟んで前記テーブルの一部と対向する印刷部に対して前記媒体を移動させる搭載部移動動作と、
前記印刷部と前記テーブルとの間にある前記媒体に対して印刷を行う印刷動作と
を繰り返し、
前記媒体搭載部が予め設定された距離だけ前記搬送方向へ移動した後、前記搬送方向と反対の方向へ前記媒体搭載部を戻し、
前記繰り出しローラに対して相対的に、前記媒体を吸着している前記テーブルを前記搬送方向へ移動させることを特徴とする印刷方法。
【発明の詳細な説明】
【技術分野】
【０００１】
本発明は、印刷装置、搬送装置、及び印刷方法に関する。
【背景技術】
【０００２】
従来、媒体がロール状に巻き取られた媒体ロールを用いる印刷装置が知られている（例えば、非特許文献１参照。）。このような印刷装置においては、例えば、インクジェットヘッドの幅の印字領域に対する印刷動作と、インクジェットヘッドの幅だけ媒体を搬送する送り動作との繰り返して、印刷が行われる。この印刷動作及び送り動作が行われる間、媒体は、例えば、媒体を挟んでインクジェットヘッドと対向するテーブルへの吸着によって、固定されている。
【非特許文献１】インターネット（ＵＲＬ：http://www.mimaki.co.jp）
【発明の開示】
【発明が解決しようとする課題】
【０００３】
上記の送り動作は、例えば、媒体の搬送方向へインクジェットヘッドの幅だけテーブルを移動させることにより行われる。テーブルに移動に伴って、媒体は、媒体ロールから繰り出され、搬送される。しかし、この場合、テーブルの移動速度が速すぎると、繰り出される媒体にしわ等が生じるおそれがある。媒体にしわ等が生じると、適切に印刷をできないおそれがある。そのため、従来、テーブルの移動速度を十分に高めることができず、送り動作に要する時間が増大してしまう場合があった。また、これにより、印刷速度を高めることが困難な場合があった。
【０００４】
そこで、本発明は、上記の課題を解決できる印刷装置、搬送装置、及び印刷方法を提供することを目的とする。
【課題を解決するための手段】
【０００５】
上記の課題を解決するために、本発明は、以下の構成を有する。
（構成１）媒体がロール状に巻き取られた媒体ロールを用いる印刷装置であって、媒体を引き出す力に応じて媒体ロールから媒体が順次繰り出されるように、媒体ロールを回転可能に保持する繰り出しローラと、繰り出しローラから繰り出された媒体を吸着により固定するテーブルと、媒体を挟んでテーブルの一部と対向しており、テーブルとの間にある媒体に対して印刷を行う印刷部と、繰り出しローラ及びテーブルを保持することにより、少なくとも繰り出しローラからテーブルに至る搬送経路に渡って媒体を搭載する媒体搭載部と、媒体の搬送方向へ媒体搭載部を移動させることにより、繰り出しローラと共に、媒体を吸着しているテーブルを移動させて、印刷部に対して媒体を移動させ、かつ、搬送方向へ予め設定された距離だけ媒体搭載部を移動させた場合、搬送方向と反対の方向へ媒体搭載部を戻す搭載部駆動部と、搭載部駆動部が搬送方向と反対の方向へ媒体搭載部を戻す場合に、繰り出しローラに対して相対的に、媒体を吸着しているテーブルを搬送方向へ移動させるテーブル駆動部とを備える。
【０００６】
このように構成すれば、例えば、印刷部に対して媒体を移動させる送り動作を、繰り出しローラに対して相対的にテーブルを移動させずに、媒体搭載部を移動させることにより行うことができる。この場合、テーブルは、例えば、媒体搭載部が戻るときにのみ移動する。そのため、このように構成すれば、テーブルを移動させる回数を低減できる。
【０００７】
また、媒体搭載部を移動させる場合、繰り出しローラと共に、テーブルを移動させることとなるため、新たな媒体の繰り出しは行われない。そのため、媒体搭載部を移動させる速度を高めたとしても、媒体の繰り出しによるしわ等は発生しない。従って、媒体搭載部の移動は、例えばテーブルの移動と比べて、高速に行うことができる。そのため、このように構成すれば、例えば、媒体の送り動作を高速化できる。また、これにより、印刷速度を適切に高めることができる。
【０００８】
尚、印刷装置は、例えば、繰り出しローラから繰り出された媒体を巻き取る巻き取りローラを更に備える。この場合、テーブルは、例えば、繰り出しローラと巻き取りローラとの間に設けられる。媒体搭載部は、例えば、巻き取りローラを更に保持する。また、搭載部駆動部は、媒体搭載部を移動させることにより、繰り出しローラ及び巻き取りローラと共に、媒体を吸着しているテーブルを移動させる。テーブル駆動部は、テーブルを、繰り出しローラ及び巻き取りローラに対して相対的に移動させる。
【０００９】
（構成２）印刷部は、媒体において印刷部の印字面と対向している印字領域に対して印刷を行い、搬送方向へ媒体搭載部を移動させる場合、印刷部が印字領域への印刷を行う毎に、搭載部駆動部は、搬送方向における印字領域の幅だけ媒体搭載部を移動させ、媒体搭載部を搬送方向へ予め設定された移動回数移動させた場合、搭載部駆動部は、印字領域の幅に移動回数を乗じた距離、搬送方向と反対の方向へ媒体搭載部を戻す。このように構成すれば、印字領域に対する印刷動作と、送り動作とを、適切に繰り返すことができる。
【００１０】
尚、印刷部の印字面とは、例えば、印刷部において媒体に文字や図形等を転写する面である。印字領域とは、例えば、搬送方向において印刷部に対する媒体の相対位置を変更せずに文字や図形等を転写可能な領域である。印刷装置がインクジェット式プリンタである場合、印字面は、例えば、印刷部であるインクジェットヘッドにおいてインク滴を吐出するためのノズルが形成されている面である。印字領域は、例えば、インクジェットヘッドからインク滴の吐出を受ける領域である。
【００１１】
（構成３）搭載部移動部が搬送方向と反対の方向へ媒体搭載部を戻す場合、テーブル駆動部は、印刷部に対するテーブルの相対位置を固定しつつ、繰り出しローラに対して相対的にテーブルを移動させる。
【００１２】
このように構成すれば、印刷部と媒体との相対位置関係の変化を複雑化させることなく、テーブルを移動させることなる。そのため、例えば、搬送の制御の管理が容易になる。
【００１３】
尚、テーブル駆動部は、印刷部が印刷を行っている間に、テーブルを移動させてもよい。このように構成すれば、印刷速度を更に高めることができる。また、例えば、テーブルを移動させる距離が媒体搭載部が戻される距離よりも長い場合、テーブル駆動部は、媒体搭載部が戻される距離だけテーブルを移動させる間、印刷部に対するテーブルの相対位置を固定してもよい。
【００１４】
（構成４）印刷部は、媒体において印刷部の印字面と対向している印字領域に対して印刷を行い、搭載部駆動部が媒体搭載部を搬送方向と反対の方向へ戻す場合、テーブル駆動部は、媒体搭載部が戻される距離よりも印字領域の幅だけ大きく、繰り出しローラに対して相対的に、テーブルを搬送方向へ移動させる。
【００１５】
このように構成すれば、テーブルの移動が終わった時点で、媒体において次に印刷すべき領域を、印字領域とすることができる。そのため、印刷速度を更に高めることができる。
【００１６】
（構成５）媒体がロール状に巻き取られた媒体ロールを用いる印刷装置において媒体を搬送する搬送装置であって、媒体を引き出す力に応じて媒体ロールから媒体が順次繰り出されるように、媒体ロールを回転可能に保持する繰り出しローラと、繰り出しローラから繰り出された媒体を吸着により固定するテーブルと、繰り出しローラ及びテーブルを保持することにより、少なくとも繰り出しローラからテーブルに至る搬送経路に渡って媒体を搭載する媒体搭載部と、媒体の搬送方向へ媒体搭載部を移動させることにより、繰り出しローラと共に、媒体を吸着しているテーブルを移動させて、媒体に対して印刷を行う印刷部に対して媒体を移動させ、かつ、搬送方向へ予め設定された距離だけ媒体搭載部を移動させた場合、搬送方向と反対の方向へ媒体搭載部を戻す搭載部駆動部と、搭載部駆動部が搬送方向と反対の方向へ媒体搭載部を戻す場合に、繰り出しローラに対して相対的に、媒体を吸着しているテーブルを搬送方向へ移動させるテーブル駆動部とを備える。このように構成すれば、構成１と同様の効果を得ることができる。
【００１７】
（構成６）媒体がロール状に巻き取られた媒体ロールを用いる印刷方法であって、媒体を引き出す力に応じて媒体ロールから媒体が順次繰り出されるように、媒体ロールを回転可能に保持する繰り出しローラ、及び繰り出しローラから繰り出された媒体を吸着により固定するテーブルを保持する媒体搭載部に、少なくとも繰り出しローラからテーブルに至る搬送経路に渡って媒体を搭載し、繰り出しローラから繰り出された媒体を、テーブルへの吸着により固定し、媒体の搬送方向へ媒体搭載部を移動させることにより、繰り出しローラと共に、媒体を吸着しているテーブルを移動させて、媒体を挟んでテーブルの一部と対向する印刷部に対して媒体を移動させる搭載部移動動作と、印刷部とテーブルとの間にある媒体に対して印刷を行う印刷動作とを繰り返し、媒体搭載部が予め設定された距離だけ搬送方向へ移動した後、搬送方向と反対の方向へ媒体搭載部を戻し、繰り出しローラに対して相対的に、媒体を吸着しているテーブルを搬送方向へ移動させる。このようにすれば、構成１と同様の効果を得ることができる。搬送方向へのテーブルの移動は、例えば搬送方向と反対の方向へ媒体搭載部を戻しつつ行ってよい。
【発明の効果】
【００１８】
本発明によれば、例えば、媒体がロール状に巻き取られた媒体ロールを用いる印刷装置において、印刷速度を適切に高めることができる。
【発明を実施するための最良の形態】
【００１９】
以下、本発明に係る実施形態を、図面を参照しながら説明する。図１は、本発明の一実施形態に係る印刷装置１０の構成の一例を示す。印刷装置１０は、媒体（メディア）３０がロール状に巻き取られた媒体ロール２０を用いるインクジェット式プリンタであり、印刷部１１２及び搬送部１００を備える。搬送部１００は、繰り出しローラ１０２、モータ１２０、巻き取りローラ１０８、モータ１２２、ガイドローラ１０４、１０６、テーブル１１０、媒体搭載部１１６、搭載部駆動部１１８、及びテーブル駆動部１１４を有する。
【００２０】
印刷部１１２は、インクジェットヘッドであり、搬送部１００により搬送されて媒体ロール２０から順次繰り出される媒体３０に順次印刷を行う。本例において、印刷部１１２は、媒体３０を挟んでテーブル１１０の一部と対向しており、媒体３０において印刷部１１２の印字面と対向している印字領域に対して印刷を行うことにより、テーブル１１０との間にある媒体３０に対して印刷を行う。
【００２１】
繰り出しローラ１０２は、繰り出し側において媒体ロール２０を保持するローラであり、媒体３０を引き出す力に応じて媒体ロール２０から媒体３０が順次繰り出されるように、媒体ロール２０を回転可能に保持する。モータ１２０は、例えばトルクリミッタ付きのモータであり、媒体３０を繰り出す方向と反対の方向に繰り出しローラ１０２を付勢する。これにより、モータ１２０は、媒体３０にバックテンションを与え、媒体３０にかかるテンションを調整する。
【００２２】
巻き取りローラ１０８は、モータ１２２の出力に応じて、繰り出しローラ１０２から繰り出された媒体３０を巻き取る。モータ１２２は、媒体３０を巻き取る方向へ巻き取りローラ１０８を回転させる。これにより、巻き取りローラ１０８は、繰り出しローラ１０２に保持された媒体ロール２０から媒体３０を順次繰り出し、媒体３０を搬送する。
【００２３】
ガイドローラ１０４、１０６は、媒体３０の搬送をガイドするためのローラであり、媒体３０の搬送経路の途中にそれぞれ設けられる。テーブル１１０は、搬送される媒体３０の下面を支持する吸引板であり、媒体３０を挟んで印刷部１１２と対向するように、ガイドローラ１０４とガイドローラ１０６との間に設けられる。また、印刷部１１２が媒体３０に印刷を行う間、テーブル１１０は、繰り出しローラ１０２から繰り出された媒体３０を吸着により固定する。
【００２４】
媒体搭載部１１６は、繰り出しローラ１０２、モータ１２０、巻き取りローラ１０８、モータ１２２、ガイドローラ１０４、１０６、テーブル１１０、及びテーブル駆動部１１４を保持する台（メディア搭載台）であり、これらを保持することにより、媒体３０の搬送経路の全体に渡って媒体３０を搭載する。また、本例において、媒体搭載部１１６は、媒体３０の搬送方法へ移動可能である。
【００２５】
搭載部駆動部１１８は、媒体３０の搬送方向へ媒体搭載部１１６を移動させることにより、繰り出しローラ１０２及び巻き取りローラ１０８等と共に、媒体３０を吸着しているテーブル１１０を移動させる。これにより、搭載部駆動部１１８は、繰り出しローラ１０２及び巻き取りローラ１０８に対して相対的にテーブル１１０を移動させることなく、印刷部１１２に対して媒体３０を移動させる送り動作を行う。また、搬送方向へ予め設定された距離だけ媒体搭載部１１６を移動させた後、搭載部駆動部１１８は、搬送方向と反対の方向へ媒体搭載部１１６を戻す。
【００２６】
テーブル駆動部１１４は、繰り出しローラ１０２及び巻き取りローラ１０８等に対して相対的に、媒体３０を吸着しているテーブル１１０を移動させる。これにより、これにより、テーブル１１０は、新たな媒体３０を繰り出しローラ１０２から繰り出す。
【００２７】
例えば、搭載部駆動部１１８が搬送方向と反対の方向へ媒体搭載部１１６を戻す場合、テーブル駆動部１１４は、搬送方向への移動により、媒体搭載部１１６が戻される距離に応じた量の媒体を繰り出す。これにより、テーブル駆動部１１４は、例えば、媒体搭載部１１６の戻りに応じた搬送方向上流への媒体３０の移動を打ち消し、テーブル１１０に吸着された媒体３０の印刷部１１２に対する相対位置を保つ。
【００２８】
以下、印刷装置１０の動作について、更に詳しく説明する。本例において、印刷装置１０は、テーブル１１０に吸着された媒体３０に、所定の印刷範囲を設定して印刷を行う。印刷装置１０は、媒体３０の搬送とテーブル１１０への吸着を繰り返しながら、媒体ロール２０から繰り出される媒体３０に対して順次印刷を行う。
【００２９】
また、印刷部１１２は、テーブル１１０に吸着されている媒体３０において、印刷部１１２と対向している印字領域に対して印刷を行う。以下、搬送方向におけるこの印字領域の幅を、ＩＪヘッド１巾分という。媒体搭載部１１６は、媒体３０の搬送方向へ、ＩＪヘッドＮ巾分（Ｎは１以上の整数）だけ移動可能である。
【００３０】
図２は、印刷装置１０の動作の一例を示すフローチャートである。本フローチャートにおいては、最初に、搭載部駆動部１１８及びテーブル駆動部１１４が、媒体搭載部１１６及びテーブル１１０の位置を初期化する（Ｓ１０２）。これにより、媒体搭載部１１６及びテーブル１１０は、予め設定された初期位置に移動する。続いて、例えばモータ１２２が巻き取りローラ１０８を回転させて、媒体３０を搬送する（Ｓ１０４）。そして、搬送された媒体３０をテーブル１１０が吸着して（Ｓ１０６）、ＩＪヘッド１巾分の印字領域に対して、印刷部１１２が印刷を行う（Ｓ１０８）。
【００３１】
続いて、搭載部駆動部１１８が媒体搭載部１１６を移動させることにより、ＩＪヘッド１巾分の送り動作を行い（Ｓ１１０）、次の印字領域に対して、印刷部１１２が印刷を行う（Ｓ１１２）。印刷装置１０は、この搭載部移動動作（Ｓ１１０）と次の印字範囲への印刷動作（Ｓ１１２）とを、媒体搭載部１１６がＩＪヘッドＮ巾分移動するまで繰り返す（Ｓ１１４：Ｎｏ）。これにより、搬送方向へ媒体搭載部１１６を移動させる場合、印刷部１１２が印字領域への印刷を行う毎に、搭載部駆動部１１８は、搬送方向における印字領域の幅だけ媒体搭載部１１６を移動させる。
【００３２】
また、この繰り返しにより、媒体搭載部１１６が、ＩＪヘッドＮ巾分移動した場合（Ｓ１１４：Ｙｅｓ）、テーブル１１０に吸着されている媒体３０の印刷範囲全体への印刷が終了しているか否かを判断する（Ｓ１１６）。そして、印刷範囲全体への印刷が終了していないと判断した場合（Ｓ１１６：Ｎｏ）、搭載部駆動部１１８は、媒体搭載部１１６をＩＪヘッドＮ巾分戻す。これにより、媒体搭載部１１６を搬送方向へ予め設定された移動回数移動させた場合、搭載部駆動部１１８は、印字領域の幅に移動回数を乗じた距離、搬送方向と反対の方向へ媒体搭載部１１６を戻す。
【００３３】
また、このタイミングで、テーブル駆動部１１４は、テーブル１１０を、繰り出しローラ１０２及び巻き取りローラ１０８等に対して相対的に、媒体３０の搬送方向へ、ＩＪヘッド（Ｎ＋１）巾分移動させる（Ｓ１２２）。これにより、搭載部駆動部１１８が媒体搭載部１１６を搬送方向と反対の方向へ戻す場合、テーブル駆動部１１４、媒体搭載部１１６が戻される距離よりも印字領域の幅だけ大きく、繰り出しローラ１０２及び巻き取りローラ１０８等に対して相対的に、テーブル１１０を搬送方向へ移動させる。このようにすれば、媒体搭載部１１６の位置を戻しつつ、更にＩＪヘッド１巾分、媒体３０を搬送方向下流へ送ることができる。そして、媒体搭載部１１６の位置が戻った状態で、印刷装置１０は、Ｓ１０８に戻り、印刷範囲の残りの部分に対する印刷を続ける。
【００３４】
一方、Ｓ１１６において、印刷範囲全体への印刷が終了していると判断した場合（Ｓ１１６：Ｙｅｓ）、吸着を停止して、テーブル１１０から媒体３０を解放する（Ｓ１１８）。そして、この時点で全ての印刷が終了していれば（Ｓ１２０：Ｙｅｓ）、印刷装置１０は動作を終了する。また、全ての印刷を終了しておらず（Ｓ１２０：Ｎｏ）、更に印刷を続ける場合、Ｓ１０２以降の動作を繰り返し、媒体３０を更に搬送して、次の印刷範囲への印刷を行う。
【００３５】
以上のように、本例において、印刷装置１０は、媒体搭載部１１６を移動させることにより、印刷される媒体３０の送り動作を行う。そのため、本例によれば、例えば、テーブル１１０の移動によって送り動作を行う場合等と比べ、印刷速度を適切に高めることができる。
【００３６】
尚、テーブル１１０を移動させずに媒体３０と印刷部１１２との相対位置を変化させるためには、例えば媒体搭載部１１６等を用いずに、印刷部１１２を移動させることも考えられる。しかし、この場合、例えば印刷部１１２を高速に移動させると、印刷部１１２までの配管に溜まっているインクに対し、インクイナーシャ（慣性力）の影響が生じ、印刷の品質に影響が生じるおそれもある。これに対し、本例によれば、インクイナーシャの影響が生じることはない。そのため、例えば媒体搭載部１１６の移動により高速に媒体３０を搬送したとしても、搬送速度に合わせて、適切に印刷を行うことができる。
【００３７】
図３及び図４は、媒体３０の送り動作を更に詳しく示す図である。説明を簡単にするため、媒体搭載部１１６は、媒体３０の搬送方向へ、ＩＪヘッド３巾分移動可能（Ｎ＝３）とした。テーブル１１０に吸着された媒体３０に設定される印刷範囲の搬送方向における幅は、ＩＪヘッド８巾分とした。
【００３８】
図３（ａ）は、媒体搭載部１１６及びテーブル１１０の初期位置の一例を示す。この状態で、印刷部１１２は、印刷範囲における先頭の印字領域に印刷を行う。図３（ｂ）、（ｃ）、（ｄ）は、初期位置からＩＪヘッド１巾分、２巾分、３巾分だけ媒体搭載部１１６を移動させた状態を示す。テーブル１１０は、媒体搭載部１１６の移動に伴って移動しているが、繰り出しローラ１０２及び巻き取りローラ１０８等に対する相対位置は初期位置と同じである。これらの状態で、印刷部１１２は、印刷範囲における先頭から２、３、４番目の印字領域に印刷を行う。
【００３９】
図３（ｅ）は、ＩＪヘッド３巾分移動後に媒体搭載部１１６を初期位置に戻した状態を示す。また、この状態において、テーブル駆動部１１４は、テーブル１１０を、ＩＪ３巾分だけ、搬送方向へ移動させている。この間、テーブル駆動部１１４は、例えば、印刷部１１２に対するテーブルの相対位置を固定しつつ、繰り出しローラ１０２及び巻き取りローラ１０８等に対して相対的に、テーブル１１０を移動させる。そのため、印刷部１１２に対するテーブル１１０の相対位置は、例えば、図３（ｄ）、（ｅ）において同じになる。尚、本例において、テーブル駆動部１１４は、テーブル１１０を、図３（ｅ）の状態から更にＩＪヘッド１巾分、搬送方向へ移動させる。
【００４０】
図４（ａ）は、図３（ｅ）の状態から更にＩＪヘッド１巾分、テーブル１１０を移動させた状態を示す。この状態で、印刷部１１２は、印刷範囲における先頭から５番目の印字領域に印刷を行う。図４（ｂ）、（ｃ）、（ｄ）は、図４（ａ）に示した状態からＩＪヘッド１巾分、２巾分、３巾分だけ媒体搭載部１１６を移動させた状態を示す。これらの状態で、印刷部１１２は、印刷範囲における先頭から６、７、８番目の印字領域に印刷を行う。また、これにより、印刷装置１０は、印刷範囲全体への印刷を終了する。図４（ｅ）は、次の印刷範囲を印刷するために媒体搭載部１１６及びテーブル１１０の位置を初期化した状態を示す。初期化により、媒体搭載部１１６及びテーブル１１０は、図３（ａ）に示した初期位置に戻る。本例によれば、媒体３０の送り動作を適切に行うことができる。
【００４１】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００４２】
本発明は、例えば印刷装置に適切に利用できる。
【図面の簡単な説明】
【００４３】
【図１】本発明の一実施形態に係る印刷装置１０の構成の一例を示す図である。
【図２】印刷装置１０の動作の一例を示すフローチャートである。
【図３】媒体３０の送り動作を更に詳しく示す図である。
【図４】媒体３０の送り動作を更に詳しく示す図である。
【符号の説明】
【００４４】
１０・・・印刷装置、２０・・・媒体ロール、３０・・・媒体、１００・・・搬送部、１０２・・・繰り出しローラ、１０４・・・ガイドローラ、１０６・・・ガイドローラ、１０８・・・巻き取りローラ、１１０・・・テーブル、１１２・・・印刷部、１１４・・・テーブル駆動部、１１６・・・媒体搭載部、１１８・・・搭載部駆動部、１２０・・・モータ、１２２・・・モータ
【図１】
2008012812.tif 000003
【図２】
2008012812.tif 000004
【図３】
2008012812.tif 000005
【図４】
2008012812.tif 000006